【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
画像データを取得する画像取得ステップと、
前記画像データの色相情報に基づいて、前記画像データの彩度情報を補正する第１の補正ステップと、
前記第１の補正ステップで補正された彩度情報から、前記画像データの彩度が判別条件を満たすか否かによって前記画像データの画像が鮮やかなシーンであるか否かを判別する判別ステップと、
前記判別ステップでの判別結果を出力する出力ステップと、を有し、
前記第１の補正ステップでは、前記画像データを複数のブロックに分割してブロック毎に前記彩度情報の補正を行い、このとき、前記ブロック毎の色相情報に対応した重みを、前記ブロック毎の彩度情報にかけることを特徴とする画像処理方法。
【請求項２】
画像データを取得する画像取得ステップと、
前記画像データの輝度情報に基づいて、前記画像データの彩度情報を補正する第１の補正ステップと、
前記第１の補正ステップで補正された彩度情報から、前記画像データの彩度が判別条件を満たすか否かによって前記画像データの画像が鮮やかなシーンであるか否かを判別する判別ステップと、
前記判別ステップでの判別結果を出力する出力ステップと、を有し、
前記第１の補正ステップでは、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする画像処理方法。
【請求項３】
前記取得ステップで取得される複数の画像データから、前記画像データ中の被写体の動き量を検出する動き量検出ステップを有し、
前記第１の補正ステップでは、前記動き量検出ステップで検出された前記動き量が大きいほど、彩度を下げる方向に補正することを特徴とする請求項１または２に記載の画像処理方法。
【請求項４】
前記出力ステップで出力された判別結果に応じて、画像データの彩度補正を行う第２の補正ステップを有することを特徴とする請求項１乃至３のいずれか１つに記載の画像処理方法。
【請求項５】
前記判別条件は、前記画像データの画像全体を複数のブロックに分割し、第４の閾値より大きい彩度であるブロックの数が第５の閾値より多い場合、鮮やかなシーンであると判別するものであることを特徴とする請求項１乃至４のいずれか１つに記載の画像処理方法。
【請求項６】
前記判別条件は、前記画像データの平均彩度が第６の閾値より高い場合、鮮やかなシーンであると判別するものであることを特徴とする請求項１乃至５のいずれか１つに記載の画像処理方法。
【請求項７】
前記出力ステップで出力された判別結果を表示する表示手段を有することを特徴とする請求項１乃至６のいずれか１つに記載の画像処理方法。
【請求項８】
前記出力ステップで出力された判別結果は、画像データのヘッダに付帯して記録されることを特徴とする請求項１乃至７のいずれか１つに記載の画像処理方法。
【請求項９】
画像データを取得する画像取得ステップと、
前記画像データの色相情報に基づいて、前記画像データの彩度情報を補正する第１の補正ステップと、
前記第１の補正ステップで補正された彩度情報から、前記画像データの鮮やかさを判別する判別ステップと、
前記判別ステップで判別された前記画像データの鮮やかさに応じて画像データの彩度を補正する第２の補正ステップと、を有し、
前記第１の補正ステップでは、前記画像データを複数のブロックに分割してブロック毎に前記彩度情報の補正を行い、このとき、前記ブロック毎の色相情報に対応した重みを、前記ブロック毎の彩度情報にかけることを特徴とする画像処理方法。
【請求項１０】
画像データを取得する画像取得ステップと、
前記画像データの輝度情報に基づいて、前記画像データの彩度情報を補正する第１の補正ステップと、
前記第１の補正ステップで補正された彩度情報から、前記画像データの鮮やかさを判別する判別ステップと、
前記判別ステップで判別された前記画像データの鮮やかさに応じて画像データの彩度を補正する第２の補正ステップと、を有し、
前記第１の補正ステップでは、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする画像処理方法。
【請求項１１】
請求項１乃至１０のいずれか１つに記載の画像処理方法の手順が記述されたコンピュータで実行可能なプログラム。
【請求項１２】
請求項１乃至１０のいずれか１つに記載の画像処理方法の手順が記述されたプログラムが記憶された、コンピュータが読み取り可能な記憶媒体。
【請求項１３】
画像データを取得する画像取得手段と、
前記画像データの色相情報に基づいて、前記画像データの彩度情報を補正する第１の補正手段と、
前記第１の補正手段で補正された彩度情報から、前記画像データの彩度が判別条件を満たすか否かによって前記画像データの画像が鮮やかなシーンであるか否かを判別する判別手段と、
前記判別手段での判別結果を出力する出力手段と、を有し、
前記第１の補正手段は、前記画像データを複数のブロックに分割してブロック毎に前記彩度情報の補正を行い、このとき、前記ブロック毎の色相情報に対応した重みを、前記ブロック毎の彩度情報にかけることを特徴とする画像処理装置。
【請求項１４】
画像データを取得する画像取得手段と、
前記画像データの輝度情報に基づいて、前記画像データの彩度情報を補正する第１の補正手段と、
前記第１の補正手段で補正された彩度情報から、前記画像データの彩度が判別条件を満たすか否かによって前記画像データの画像が鮮やかなシーンであるか否かを判別する判別手段と、
前記判別手段での判別結果を出力する出力手段と、を有し、
前記第１の補正手段は、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする画像処理装置。
【請求項１５】
画像データを取得する画像取得手段と、
前記画像データの色相情報に基づいて、前記画像データの彩度情報を補正する第１の補正手段と、
前記第１の補正手段で補正された彩度情報から、前記画像データの鮮やかさを判別する判別手段と、
前記判別手段で判別された前記画像データの鮮やかさに応じて画像データの彩度を補正する第２の補正手段と、を有し、
前記第１の補正手段は、前記画像データを複数のブロックに分割してブロック毎に前記彩度情報の補正を行い、このとき、前記ブロック毎の色相情報に対応した重みを、前記ブロック毎の彩度情報にかけることを特徴とする画像処理装置。
【請求項１６】
画像データを取得する画像取得手段と、
前記画像データの輝度情報に基づいて、前記画像データの彩度情報を補正する第１の補正手段と、
前記第１の補正手段で補正された彩度情報から、前記画像データの鮮やかさを判別する判別手段と、
前記判別手段で判別された前記画像データの鮮やかさに応じて画像データの彩度を補正する第２の補正手段と、を有し、
前記第１の補正手段では、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする画像処理装置。
【請求項１７】
前記判別手段は、前記画像データの画像全体を複数のブロックに分割し、第４の閾値より大きい彩度であるブロックの数で、前記画像データの鮮やかさを判別することを特徴とする請求項１５または１６のいずれか１つに記載の画像処理方法。
【請求項１８】
前記判別手段は、前記画像データの平均彩度で、前記画像データの鮮やかさを判別することを特徴とする請求項１５乃至１７のいずれか１つに記載の画像処理方法。
【請求項１９】
前記取得手段は、被写体を撮像する撮像手段であることを特徴とする請求項１３乃至１８のいずれか１つに記載の画像処理装置。
【手続補正２】
【補正対象書類名】明細書
【補正対象項目名】０００８
【補正方法】変更
【補正の内容】
【０００８】
上記目的を達成するために、本発明の画像処理方法は、請求項１に記載の通り、画像データを取得する画像取得ステップと、前記画像データの色相情報に基づいて、前記画像データの彩度情報を補正する第１の補正ステップと、前記第１の補正ステップで補正された彩度情報から、前記画像データの彩度が判別条件を満たすか否かによって前記画像データの画像が鮮やかなシーンであるか否かを判別する判別ステップと、前記判別ステップでの判別結果を出力する出力ステップと、を有し、前記第１の補正ステップでは、前記画像データを複数のブロックに分割してブロック毎に前記彩度情報の補正を行い、このとき、前記ブロック毎の色相情報に対応した重みを、前記ブロック毎の彩度情報にかけることを特徴とする。
また、本発明の画像処理方法は、請求項２に記載の通り、画像データを取得する画像取得ステップと、前記画像データの輝度情報に基づいて、前記画像データの彩度情報を補正する第１の補正ステップと、前記第１の補正ステップで補正された彩度情報から、前記画像データの彩度が判別条件を満たすか否かによって前記画像データの画像が鮮やかなシーンであるか否かを判別する判別ステップと、前記判別ステップでの判別結果を出力する出力ステップと、を有し、前記第１の補正ステップでは、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする。
また、本発明の画像処理方法は、請求項９に記載の通り、画像データを取得する画像取得ステップと、前記画像データの色相情報に基づいて、前記画像データの彩度情報を補正する第１の補正ステップと、前記第１の補正ステップで補正された彩度情報から、前記画像データの鮮やかさを判別する判別ステップと、前記判別ステップで判別された前記画像データの鮮やかさに応じて画像データの彩度を補正する第２の補正ステップと、を有し、前記第１の補正ステップでは、前記画像データを複数のブロックに分割してブロック毎に前記彩度情報の補正を行い、このとき、前記ブロック毎の色相情報に対応した重みを、前記ブロック毎の彩度情報にかけることを特徴とする。
また、本発明の画像処理方法は、請求項１０に記載の通り、画像データを取得する画像取得ステップと、前記画像データの輝度情報に基づいて、前記画像データの彩度情報を補正する第１の補正ステップと、前記第１の補正ステップで補正された彩度情報から、前記画像データの鮮やかさを判別する判別ステップと、前記判別ステップで判別された前記画像データの鮮やかさに応じて画像データの彩度を補正する第２の補正ステップと、を有し、前記第１の補正ステップでは、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする。
【手続補正３】
【補正対象書類名】明細書
【補正対象項目名】０００９
【補正方法】変更
【補正の内容】
【０００９】
また、本発明の画像処理装置は、請求項１３に記載の通り、画像データを取得する画像取得手段と、前記画像データの色相情報に基づいて、前記画像データの彩度情報を補正する第１の補正手段と、前記第１の補正手段で補正された彩度情報から、前記画像データの彩度が判別条件を満たすか否かによって前記画像データの画像が鮮やかなシーンであるか否かを判別する判別手段と、前記判別手段での判別結果を出力する出力手段と、を有し、前記第１の補正手段は、前記画像データを複数のブロックに分割してブロック毎に前記彩度情報の補正を行い、このとき、前記ブロック毎の色相情報に対応した重みを、前記ブロック毎の彩度情報にかけることを特徴とする。
また、本発明の画像処理装置は、請求項１４に記載の通り、画像データを取得する画像取得手段と、前記画像データの輝度情報に基づいて、前記画像データの彩度情報を補正する第１の補正手段と、前記第１の補正手段で補正された彩度情報から、前記画像データの彩度が判別条件を満たすか否かによって前記画像データの画像が鮮やかなシーンであるか否かを判別する判別手段と、前記判別手段での判別結果を出力する出力手段と、を有し、前記第１の補正手段は、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする。
また、本発明の画像処理装置は、請求項１５に記載の通り、画像データを取得する画像取得手段と、前記画像データの色相情報に基づいて、前記画像データの彩度情報を補正する第１の補正手段と、前記第１の補正手段で補正された彩度情報から、前記画像データの鮮やかさを判別する判別手段と、前記判別手段で判別された前記画像データの鮮やかさに応じて画像データの彩度を補正する第２の補正手段と、を有し、前記第１の補正手段は、前記画像データを複数のブロックに分割してブロック毎に前記彩度情報の補正を行い、このとき、前記ブロック毎の色相情報に対応した重みを、前記ブロック毎の彩度情報にかけることを特徴とする。
また、本発明の画像処理装置は、請求項１６に記載の通り、画像データを取得する画像取得手段と、前記画像データの輝度情報に基づいて、前記画像データの彩度情報を補正する第１の補正手段と、前記第１の補正手段で補正された彩度情報から、前記画像データの鮮やかさを判別する判別手段と、前記判別手段で判別された前記画像データの鮮やかさに応じて画像データの彩度を補正する第２の補正手段と、を有し、前記第１の補正手段では、前記画像データを複数のブロックに分割してブロック毎に前記彩度情報の補正を行い、このとき、第１の輝度である第１のブロックは、前記第１の輝度より低い第２の輝度である第２のブロックに比べて彩度がより上がる方向に補正されることを特徴とする。